(57)【要約】【課題】本発明は、主として歯科医療に携わる学生等を対象に医療用教材として用いられる歯科用全身姿勢モデルを現す模型である。また歯科病院等において、医師が患者に症状と治療方針を説明する際にも使用される。いくつか分類される全身姿勢において、下顎の正しい位置が理解でき、また全身姿勢が下顎の位置にどのような影響を与えるかを視覚的に理解することを可能とする。【解決手段】本発明は下顎、頭部、胸部、骨盤を4つの回転軸に置き換えた構造が最大の特徴である。それぞれの回転軸にかかった力がどのようにモデル全体に伝わっていくのか、またモデルのどの部分に歪みが起きるのかを視覚的に表すことで、人の立居姿勢がどのように変化するのか、より深い理解を可能とする。【選択図】図５
2019066603.tif 000002
【特許請求の範囲】
【請求項１】
下顎の位置による身体の姿勢変化を表現するための姿勢制御模型であって、
人の下顎に対応する下顎部材、人の頭部に対応する頭部部材、人の胸部に対応する胸部部材、人の骨盤に対応する骨盤部材、及び人の脚部に対応する脚部材と、
前記頭部部材、前記胸部部材、及び前記骨盤部材が、概ね直線状に配置されるとともに回転可能に取り付けられる、基材とを備え、
前記下顎部材は、前記頭部部材に、該頭部部材の回転軸とは異なる位置に配置された軸の周りに回転可能に取り付けられ、
前記頭部部材、前記胸部部材及び前記骨盤部材は、互いに連動して動作するように可撓性部材よって連結され、
前記脚部材は、人の膝に対応する部分において屈曲するように構成されており、一方の端部が、前記骨盤部材に、該骨盤部材の回転軸とは異なる位置に配置された軸の周りに回転可能に取り付けられ、他方の端部が、前記基材に、該基材の所定位置に配置された軸の周りに回転可能に取り付けられていることを特徴とする姿勢制御模型。
【請求項２】
前記下顎部材は、人の下顎に対応する形状に形成された部材であり、前記頭部部材に、該頭部部材において人の前頭部に対応する位置に配置された軸の周りに回転可能に取り付けられたことを特徴とする、請求項１に記載の姿勢制御模型。
【請求項３】
前記下顎部材の回転半径が、前記頭部部材の回転半径より大きいことを特徴とする、請求項１又は請求項２に記載の姿勢制御模型。
【請求項４】
前記下顎部材は、前記頭部部材が回転したときでも前記基材に対して静止しているように構成されたことを特徴とする、請求項１から請求項３までのいずれか１項に記載の姿勢制御模型。
【請求項５】
前記基材は、前記頭部部材、前記胸部部材及び前記骨盤部材の各々が取り付けられる位置に、各部材の回転軸を取り付けるための長さをもつ穴を有し、前記穴の各々の長さの方向は、前記頭部部材、前記胸部部材及び前記骨盤部材の並び方向であり、前記回転軸の各々は、前記穴の各々の内部で移動可能であることを特徴とする、請求項１から請求項４までのいずれか１項に記載の姿勢制御模型。
【請求項６】
前記頭部部材に対応する前記穴は、さらに、前記並び方向を横切る方向の長さをもつことを特徴とする、請求項５に記載の姿勢制御模型。
【請求項７】
人の身体を側面からみた姿勢を表現するものであることを特徴とする、請求項１から請求項６までのいずれか１項に記載の姿勢制御模型。
【請求項８】
人の身体を正面からみた姿勢を表現するものであることを特徴とする、請求項１から請求項６までのいずれか１項に記載の姿勢制御模型。
【発明の詳細な説明】
【技術分野】
【０００１】
本発明は、歯科医療用模型に関する。          
【背景技術】
【０００２】
昨今、歯科医療の現場では、下顎の位置が身体の姿勢に影響を与え、逆に身体の姿勢が下顎の位置に影響を与えているのではないかという指摘や報告が相次いでいる。しかし現在にいたるまで、下顎と姿勢がどのような仕組みで関連するのか、どのような状態の時に影響し合うのか、大学や専門の研究機関での研究はなされておらず、下顎と姿勢が連動するメカニズムは解明されていない。
【０００３】
このため、歯科医療において、虫歯（齲蝕）や歯周症を始めとする治療は永く口腔の範囲に留まってきた。口腔以外の部位についてはそれぞれ専門の医師に委ね、専門外の分野には立ち入らないという背景があったためである。
【発明の概要】
【発明が解決しようとする課題】
【０００４】
本発明は、下顎の位置と身体の姿勢との関連性を視覚的に捉えるための歯科医療用模型を提供することを課題とする。この歯科医療用模型は、歯科医療に携わる学生等を対象に医療用教材として、また歯科病院等における医師が患者に症状と治療方針を説明する器材として、利用される。
【課題を解決するための手段】
【０００５】
本発明は、上記課題を解決するため、以下の手段を採用する。
すなわち、下顎の位置による身体の姿勢変化を表現するための顎機能姿勢制御模型であって、人の下顎に対応する下顎部材、人の頭部に対応する頭部部材、人の胸部に対応する胸部部材、及び人の骨盤に対応する骨盤部材と、前記頭部部材、前記胸部部材、及び前記骨盤部材が、概ね直線状に配置されるとともに回転可能に取り付けられる、基材とを備えており、前記下顎部材は、前記頭部部材に、該頭部部材の回転軸とは異なる位置に配置された軸の周りに回転可能に取り付けられ、前記頭部部材、前記胸部部材及び前記骨盤部材は、互いに連動して動作するように可撓性部材よって連結されている。
【０００６】
また、前記下顎部材は、人の下顎に対応する形状に形成された部材であり、前記頭部部材に、該頭部部材において人の前頭部に対応する位置に配置された軸の周りに回転可能に取り付けられ、該下顎部材の回転半径は、前記頭部部材の回転半径より大きく、前記下顎部材は、前記頭部部材が回転したときでも前記基材に対して静止しているように構成されている。
【０００７】
そして、これら顎機能姿勢制御模型は、人の脚部に対応する脚部材を備えており、該脚部材は、人の膝に対応する部分において屈曲するように構成されており、一方の端部が、前記骨盤部材に、該骨盤部材の回転軸とは異なる位置に配置された軸の周りに回転可能に取り付けられ、他方の端部が、前記基材に、該基材の所定位置に配置された軸の周りに回転可能に取り付けられている。
【０００８】
さらに、前記基材は、前記頭部部材、前記胸部部材及び前記骨盤部材の各々が取り付けられる位置に、各部材の回転軸を取り付けるための長さをもつ穴を有し、前記穴の各々の長さの方向は、前記頭部部材、前記胸部部材及び前記骨盤部材の並び方向であり、前記回転軸の各々は、前記穴の各々の内部で移動可能であり、前記頭部部材に対応する前記穴は、さらに、前記並び方向を横切る方向の長さを有している。
【０００９】
本発明に係る顎機能姿勢制御模型は、尾▲崎▼による２０年に及ぶ研究の成果として、下顎の位置と身体の姿勢に大きな関連性があることが明らかにされた結果に基づいて発明されたものである。尾▲崎▼理論を以下に示す。
（尾▲崎▼理論）
【００１０】
尾▲崎▼理論は、特許申請者が独自にメカニズムを解明し、新しく考案した顎機能姿勢制御模型というモデルを使用して理論の解説と普及を行い、もって歯科医療の向上に貢献を期するものである。尾▲崎▼理論を要約すると以下の通りである。
【００１１】
下顎周辺の筋肉の働きによって、下顎を顔の前面に押し出すと、頭部は身体の重心より後方に移動する。逆に下顎を引くと頭部が重心より前に出る動きをする。
【００１２】
頭部が重心より後方に移動することにより、後方に身体が倒れてしまわないように胸を張り、お尻を上げ、膝を伸ばす姿勢に変化する。下顎を引いた場合は、前に倒れないように背中を丸め、腰を落とし、膝を曲げた猫背のような姿勢に変化する。（図５参照）
【００１３】
こうした動きは、人間の身体にもともと備わっている、頚椎周辺の筋肉の動きに反応する「頸反射」や姿勢反射など、身体の姿勢を維持する反射機能によって司られている。わずかな動きの変化に細やかに反応し、人はゆらゆらと細かく揺らぎながら、姿勢を維持している。
【００１４】
現代の日本人には、食生活の変化により幼少期より柔らかいものばかりを食べることで下顎の発達が十分でなかったり、文明の利器を享受することで全身を支える筋肉がかつてより脆弱になったりする傾向が顕著である。こうした影響から、口腔が狭かったり歯並びが悪い、舌が口腔に押し下がって気道を塞いだりするなどの症状が発症し、下顎の働きが損なわれて、反射にともなう姿勢の制御が困難になる。
【００１５】
姿勢の揺らぎが失われ、同じ姿勢で固定されると、口元の異常が原因で全身の様々な部位に筋肉の拘縮が発生し、痛みやコリ、不具合などの不定愁訴が発生する。
【００１６】
口元の異常が原因で顎周辺や頭痛のみならず全身に不定愁訴が起きている場合は、その仕組みを理解したうえで、原因となる口元の異常を歯科医療によって取り除くことができれば、身体に起きている様々な不調や苦痛を取り除くことができる。
【発明の効果】
【００１７】
本発明によれば、顎機能姿勢制御模型によって、下顎の正しい位置が理解でき、また姿勢が下顎の位置にどのような影響を与えるかを視覚的に理解できるため、下顎、頭部、胸部、骨盤それぞれの部材にかかった力がどのようにモデル全体に伝わっていくのか、またモデルのどの部分に歪みが起きるのか、人の立位姿勢がどのように変化するのかなど、尾▲崎▼理論をより深く理解することが可能となる。
【図面の簡単な説明】
【００１８】
【図１】本発明の実施形態における側面顎機能姿勢制御模型の主要構成部材を示す図である。
【図２】本発明の実施形態における主要構成部材を基板に取り付けた側面顎機能姿勢制御模型を示す全体図である。
【図３】本発明の実施形態における正面顎機能姿勢制御模型の主要構成部材を示す図である。
【図４】本発明の実施形態における主要構成部材を基板に取り付けた正面顎機能姿勢制御模型を示す全体図である。
【図５】尾▲崎▼理論を説明する側面顎機能姿勢制御模型の動作状態を示す図である。
【図６】尾▲崎▼理論を説明する正面顎機能姿勢制御模型の動作状態を示す図である。
【発明を実施するための形態】
【００１９】
顎機能姿勢制御模型は、横から見た側面顎機能姿勢制御模型と正面から見た正面顎機能姿勢制御模型の２パターンで構成される。以下、添付図面を参照して、本発明の一実施形態である顎機能姿勢制御模型について説明する。
（側面顎機能姿勢制御模型）
【００２０】
まず、側面顎機能姿勢制御模型Ｓについて、図１と図２を用いて説明する。
図１は、本発明の実施形態における側面姿勢模型Ｓの主要構成部材を示す図であり、側面顎機能姿勢制御模型Ｓは側面基材Ｓ１、側面頭部Ｓ２、側面胸部Ｓ３、側面骨盤Ｓ４、及び側面下顎Ｓ２１の部材から構成される。
【００２１】
側面基材Ｓ１に３箇所のねじ穴を開ける。上から頭部取付穴Ｓ１１、胸部取付穴Ｓ１２、骨盤取付穴Ｓ１３とする。ねじ本体が上下に移動するため、長さをもつ穴をあける。長さについては、それぞれねじの可動範囲に合わせて縦に長い穴とする。頭部取付穴Ｓ１１は、姿勢によって頭の位置が前後に移動することを表現するため、前方と後方にスライドできるよう穴を広げる。縦長の穴の長さと、頭部の前後のスライド溝については後述する。なお、側面基材Ｓ１は、各部材を取り付ける土台となるもので板状体だけではなく、例えば棒状のものでもよい。
【００２２】
頭部取付穴Ｓ１１に側面頭部Ｓ２、胸部取付穴Ｓ１２に側面胸部Ｓ３、骨盤取付穴Ｓ１３に側面骨盤Ｓ４を取り付ける。S１の裏面からナットで止めるなどして、前記側面頭部、側面胸部、側面骨盤の各部材それ自体が回転し、かつねじ穴にそって上下に可動できるよう調節する。側面頭部については顔の前方、後方にもスライドできるよう調節する。それぞれのデザインは、頭、胸、腰であることが見た目から理解できれば形状は問わない。単純な円形でも、頭や胸や腰をデザインしたものでも構わないが、部材が円形の板状体の場合には、その円の中心にねじを取り付ける。それ以外の形状でもほぼ中心と思われる個所にねじを取り付けるのが好ましい。各部材ごとに、ねじを通る水平を表す直線を一本デザインしておくのが好ましい。        
【００２３】
図２は、本発明の側面顎機能姿勢制御模型Ｓを示す全体図で、前述の基板、頭部、胸部、骨盤の各部材の他に下顎、及び頚推、腰椎、脚、足首の各部材を加えて構成される。
【００２４】
側面下顎Ｓ２１の回転体の中心が頭部部材の前頭部を示す部分に来るように、側面下顎Ｓ２１を側面頭部Ｓ２に取り付ける。側面下顎Ｓ２１を透明素材にして下顎をデザインするか、下顎の形状に切り取ったパーツのみを作るなどして、下顎の動きがわかるようにする。側面下顎Ｓ２１は、振り子のように左右に動くようにする。側面下顎Ｓ２１には重りを取り付け、頭部の動きに対して鉛直線下に止まり、相対的に振り子のように左右に動くようにする。言い換えると、側面下顎Ｓ２１は、側面頭部Ｓ２が回転したときでも側面基材Ｓ１に対して静止しているように、側面頭部Ｓ２に取り付けられる。
【００２５】
側面頭部Ｓ２、側面胸部Ｓ３、側面骨盤Ｓ４、側面下顎Ｓ２１の４つの回転する部材には、図２に示すように、それぞれ取っ手部分（＝つまみ）を取り付けるのが好ましい。
【００２６】
側面頭部Ｓ２と側面胸部Ｓ３の間と、側面胸部Ｓ３と側面骨盤Ｓ４の間に、可撓性部材Ｓ５１、Ｓ５２で固定する。この可撓性部材Ｓ５１、Ｓ５２は、湾曲しても元の直線状態に戻る柔らかい性質を有するプラスチックなどの素材で作られた板状、ないし棒状の素材とする。側面可撓性部材Ｓ５１が頚椎、側面可撓性部材Ｓ５２が腰椎を表す。
【００２７】
脚は、側面脚Ｓ６１と側面脚Ｓ６２の二つのパーツで構成され、この二つの部材の繋ぐ膝関節に相当する部分（脚-B）は折れ曲がる構造とする。
【００２８】
側面骨盤Ｓ４の股関節に相当する箇所に、側面脚Ｓ６１の一端を取り付ける。その際、取り付け部（脚-A）は回転運動ができるようにする。
【００２９】
足首に相当する側面脚Ｓ６２の一端を、側面基材Ｓ１に取り付ける。その際、取り付け部（脚-C）は回転運動ができるようにする。
【００３０】
この時、取り付け部（脚-C）のねじ本体は、側面基材Ｓ１本体に取り付けられるため、足首に相当する脚部は回転することができるが、ねじ穴の位置は変わらない。このため、膝を伸ばすように回転した場合は、側面骨盤Ｓ４、側面胸部Ｓ３、側面頭部Ｓ２が順に上方へ移動し、逆に膝を折り曲げる動きにすると、側面骨盤Ｓ４、側面胸部Ｓ３、側面頭部Ｓ２は下方に移動する。このような特徴から側面基材Ｓ１に開けられた頭部、胸部、骨盤の三個の取付穴については上下に稼働できるよう縦長のねじ穴を開ける必要がある。
（正面顎機能姿勢制御模型）
【００３１】
次に、正面顎機能姿勢制御模型Ｆについて図３、図４を用いて説明する。
図３は、本発明の実施形態における正面顎機能姿勢制御模型Ｆの主要構成部材を示す図であり、正面顎機能姿勢制御模型は正面基材Ｆ１、正面頭部Ｆ２、正面胸部Ｆ３、及び正面骨盤Ｆ４、の部材から構成される。
【００３２】
正面顎機能姿勢制御模型Ｆについても側面顎機能姿勢制御模型Ｓと原理は同様である。正面基材Ｆ１に３箇所のねじ穴を開ける。上から頭部取付穴Ｆ１１、胸部取付穴Ｆ１２、骨盤取付穴Ｆ１３とする。ねじ本体が上下に移動するため、可動範囲に合わせてそれぞれ縦に長い穴とする。頭部取付穴Ｆ１１は、姿勢によって頭の位置が左右に移動することを表現するため、左右にねじ本体がスライドできるよう穴を広げる。スライド溝については後述する。Ｆ１は板状でも棒状でも形態は問わない。
【００３３】
頭部取付穴Ｆ１１に正面頭部Ｆ２、胸部取付穴Ｆ１２に正面胸部Ｆ３、骨盤取付穴Ｆ１３に正面骨盤Ｆ４を取り付ける。前記正面頭部、正面胸部、正面骨盤の各部材それ自体が回転し、かつねじ穴にそって上下（頭部は左右にも）可動できるよう調節する。正面顎機能姿勢制御模型Ｆの頭部部材、胸部材、骨盤部材にも水平を表す直線を一本デザインしておくのが好ましい。
【００３４】
図４は、本発明の正面顎機能姿勢制御模型Ｆを示す全体図で、前述の基板、頭部、胸部、骨盤の各部材の他に、下顎、頚推、腰椎、腕、脚の各部材を加えて構成される。
【００３５】
正面顎機能姿勢制御模型Ｆおいても下顎部材の中心が、頭部部材の前頭部の中央に来るように、正面下顎Ｆ２１を正面頭部Ｆ２に取り付ける。下顎部材の大きさについては、円の中心が頭部部材の前頭部にあり、弧の部分が頭部部材の下顎にくるというデザイン上の理由から、頭部部材よりも直径が大きな回転体となる。
【００３６】
下顎部材の形態については側面姿勢と同様にして下顎の動きがわかるようにする。下顎は、振り子のように左右に動くようにする。下顎には重りを取り付け、頭部の動きに対して鉛直線下に止まり、相対的に振り子のように左右に動くようにする。
【００３７】
前記頭部、胸部、骨盤、下顎の４つの部材には、それぞれ取っ手部分（＝つまみ）を取り付けるのが好ましい。
【００３８】
正面顎機能姿勢制御模型Ｆの頭部部材と胸部部材の間と、胸部部材と骨盤部材の間に、可撓性部材（湾曲しても元の直線状態に戻る柔らかい性質を有する素材）で作られた板状、ないし棒状の素材を固定する。正面可撓性部材Ｆ５１が頚椎、正面可撓性部材Ｆ５２が腰椎を表す。
【００３９】
腕は、肩関節に相当する左右二箇所が折れ曲がる構造とし、正面腕部Ｆ６１が右腕，正面腕部Ｆ６２が左腕、左右肩部Ｆ６３の三つのパーツで表す。左右肩部Ｆ６３を正面胸部Ｆ３に水平かつ対称になるように固定し、左右の両肩関節に相当する部分は折れ曲がる構造とする。
【００４０】
脚は、正面右脚Ｆ７１とＦ７２、正面左脚Ｆ７３とＦ７４、の四つのパーツで構成され、左右の両膝関節に相当する部分（脚-E）が折れ曲がる構造とする。
【００４１】
前記正面骨盤Ｆ４の股関節に相当する箇所に、前記左右脚Ｆ７１、Ｆ７３の一端を取り付ける。その際、取り付け部（脚-D）は回転運動ができるようにする。
【００４２】
足首に相当する前記左右脚Ｆ７２、Ｆ７４の一端を、前記正面基材Ｆ１本体に取り付ける。その際、取り付け部（脚-F）は回転運動ができるようにする。
【００４３】
以下、側面顎機能姿勢制御模型と正面顎機能姿勢制御模型からなる本発明の顎機能姿勢制模型の仕組み、及び模型の動きによって説明できることについて、図５、図６を用いて説明する。
（模型の仕組み）
【００４４】
本発明による模型（尾▲崎▼理論でのモデル）は、通常は腰椎と頚椎に相当する可撓性部材の性質により頚椎と腰椎がまっすぐ伸び、直立不動の姿勢となっている。頭部、胸部、骨盤部材に取りつけた取っ手を持ってそれぞれ回転させると、頚椎と腰椎に相当する可撓性部材に力が伝わり、隣接する部材に回転を与え、それが次の部材に伝わる仕組みである。
【００４５】
取っ手の上下部分の基材にフックを付け、取っ手をひっかけることができる構造に工夫し、それぞれの部材の回転を固定できるようにするのが好ましい。
【００４６】
下顎下縁の部分に取り付けた重り等により、頭部部材がどのように回転していても、重力によって常に下顎部材が鉛直線下に止まる構造である。下顎の回転については、頭部の動きに対して鉛直線下に止まり、相対的に重力に任せて振り子状に自由に動く状態と、任意の位置で固定できるよう下顎部材の構造を工夫するのが好ましい。
（模型の動き）
【００４７】
尾▲崎▼モデルでは、骨格筋が模型上の回転する部材を動かす事を想定している。下顎、頭部、胸部、骨盤の隣り合った部材が互いに相反した向きに回転する場合は、それぞれの部材の間にトルク（＝歪みや圧力）は生じず、骨格筋は全身を統一的に、連続性をもって動く事が示される。
【００４８】
逆に隣り合った部材が同じ方向に回転する場合は、骨格筋の統一的、連続性をもった動きが阻害され、部材の間にトルクが発現する状態が、可撓性部材の歪みによって視覚的に確認する事ができる。
【００４９】
頭部部材と下顎部材は、頚椎や腰椎に相当する可撓性部材のように歪みを視覚化するパーツはないが、同じ方向に回転する場合は、頭部と下顎の間にトルクが発現し、頭部と下顎間を結びつけている咀嚼筋群が緊張状態を引き起す事が想定され、顎関節症がどのような位置関係にあるときに発現するのか、モデルで示す事ができる。
【００５０】
歯科医療においてこれまで、身体の姿勢の変化と下顎の位置について、4つの回転する部材で説明する理論はなく、下顎、頭部、胸部、骨盤部材のそれぞれにかかる力がどのように全身の姿勢に影響を与えているのか、視覚的に表すモデルは存在していない。本発明では、頭部、胸部、骨盤部材を取っ手（つまみ）を掴んでどちらの方向に回転させても、その力がモデル全体に伝わり、形状が変化することを、極めて単純な構造で理解することができる。加えて、頭部に対して下顎の相対的な位置の変化を示す事ができる。
【００５１】
モデルの動きを利用して姿勢を分類化することが可能となる。尾▲崎▼理論では横向きのモデルでは、図５に示すように、１〜７の７つの姿勢に分類している。また正面のモデルは、図６に示すように、A〜Eの５つの姿勢に分類している。
【００５２】
横向きのモデルの頭部と骨盤をそれぞれ掴み、逆向きに回転させると、頚椎（図５-３、５）や腰椎（図５-２、６）がＳ字・逆Ｓ字に湾曲する。この部分に強い圧力と歪みが生じることを視覚的に理解できる。
【００５３】
圧力や歪みが生じていない姿勢が図５-１、４、７になる。図５-１の姿勢は、頭部が身体の重心線より前に出る。図５-１の姿勢について説明する際、膝が折れ曲がっているため、骨盤部材、胸部部材、頭部部材を基材に止めるねじが下方に移動しているため、図１の頭部取付穴の縦長のねじ穴のうち、下方から顔の前方へスライドできるねじ穴が必要になる。逆に図５-７の姿勢は、頭部が身体の重心線より後ろに位置する。よって図５-７の姿勢について説明する際は、膝が進展してそれぞれの部材のねじが、縦長のねじ穴のうち、上方に移動しているため、上方から身体の後ろへスライドできるねじ穴が必要になる。頭部取付穴の形状が左右非対称になるのはこうした理由からである。
【００５４】
正面のモデルでは、図６-A、Eが歪みのある姿勢、図６-Cが歪みのない姿勢を現している。図６-Bは右側で強く噛み締めている状態、図６-Dは左側を強く噛み締めている状態を現す。
【００５５】
図６-Bの右側で強く噛み締めている姿勢が長い期間にわたって固定化すると、人は傾いた頭部を水平に戻そうとする反射機能によって、右側に頭部が傾いた状態をキープしたまま頭部を水平にする図６-Aの姿勢に移行する。この時、頭部は身体の重心より左側（基材で言えば右側）に頭部が移動する。同様に左側を強く噛み締めている図６-Dの姿勢は図６-Eに移行し、頭部は右側に移動する。これらを説明するため図３の頭部取付-穴は、左右にスライド溝を作る必要が生じる。
【００５６】
正面姿勢では、例えば下顎が左にずれた場合に、左肩があがり、骨盤の左側が下がり、左足が屈曲して、右足が進展する姿勢に変化することが、視覚的に理解できる。
【００５７】
頭部、胸部、骨盤部材をつなぐ頚椎、腰椎に相当する可撓性部材の形状や力のかかり具合から、これまで歯科界でなぜ起きるのかわからないとされてきた、ストレートネック、Ｓ字ネック、頸椎の後弯などの症状について、発症するメカニズムと歪みの状態を視覚で確認することができる。
【００５８】
これらの姿勢の分類は、患者の横向きと正面から撮影した写真と照らし合わせて、患者がどの型の姿勢なのか、容易に分類することが可能となる。
【符号の説明】
【００５９】
Ｓ                      側面顎機能姿勢制御模型
Ｓ１                    側面基材
Ｓ１１                  頭部取付穴
Ｓ１２                  胸部取付穴
Ｓ１３                  骨盤取付穴
Ｓ２                    側面頭部
Ｓ２１                  側面下顎
Ｓ３                    側面胸部
Ｓ４                    側面骨盤
Ｓ５１、Ｓ５２          側面可撓性部材
Ｓ６１、Ｓ６２          側面脚
Ｆ                      正面顎機能姿勢制御模型
Ｆ１                    正面基材
Ｆ１１                  頭部取付穴
Ｆ１２                  胸部取付穴
Ｆ１３                  骨盤取付穴
Ｆ２                    正面頭部
Ｆ２１                  正面下顎
Ｆ３                    正面胸部
Ｆ４                    正面骨盤
Ｆ５１、Ｆ５２          正面可撓性部材
Ｆ６１、Ｆ６２、Ｆ６３  正面腕
Ｆ７１、Ｆ７２          正面右脚
Ｆ７３、Ｆ７４          正面左脚
【図１】
2019066603.tif 000003
【図２】
2019066603.tif 000004
【図３】
2019066603.tif 000005
【図４】
2019066603.tif 000006
【図５】
2019066603.tif 000007
【図６】
2019066603.tif 000008